(57)【要約】【課題】端子の組付における弾性片の過度な変形を防止し、端子と相手端子との導通不良を防止することができるコネクタを提供する。【解決手段】接触部３が設けられた弾性片５を有する端子７と、この端子７を収容する第１ハウジング９と、この第１ハウジング９に嵌合可能な第２ハウジング１１と、この第２ハウジング１１に収容され第１ハウジング９と第２ハウジング１１との正規嵌合状態で弾性片５の付勢力により接触部３に接触される被接触部１３を有する相手端子１５とを備えたコネクタ１において、第２ハウジング１１のリブ２１に、第１ハウジング９と第２ハウジング１１とが正規嵌合状態となるまでの間に端子７の接触部３と摺動して弾性片５の付勢力に抗して弾性片５を変位させ、第１ハウジング９と第２ハウジング１１とが正規嵌合状態となったときに弾性片５の付勢力によって接触部３を相手端子１５の被接触部１３に接触させる変位部２３を設けた。【選択図】図４
2014216225.tif 000002
【特許請求の範囲】
【請求項１】
接触部が設けられた弾性片を有する端子と、この端子を収容する第１ハウジングと、この第１ハウジングに嵌合可能な第２ハウジングと、この第２ハウジングに収容され前記第１ハウジングと前記第２ハウジングとの正規嵌合状態で前記弾性片の付勢力により前記接触部に接触される被接触部を有する相手端子とを備えたコネクタであって、
前記第１ハウジングには、前記端子を支持し前記第１ハウジングと前記第２ハウジングとの正規嵌合状態で前記第２ハウジングに設けられた被ロック部に係止されるロック部が揺動可能に設けられ、
前記第２ハウジングには、前記相手端子の被接触部を支持し前記第１ハウジングへの嵌合方向下流側に向けてリブが延設され、
前記リブには、前記第１ハウジングと前記第２ハウジングとが正規嵌合状態となるまでの間に前記端子の接触部と摺動して前記弾性片の付勢力に抗して前記弾性片を変位させ、前記第１ハウジングと前記第２ハウジングとが正規嵌合状態となったときに前記弾性片の付勢力によって前記接触部を前記相手端子の被接触部に接触させる変位部が設けられていることを特徴とするコネクタ。
【請求項２】
請求項１記載のコネクタであって、
前記変位部は、前記第１ハウジングへの嵌合方向下流側から上流側に向けて上り傾斜となる傾斜面からなり前記端子の接触部と摺動する摺動部と、前記ロック部の揺動が最大となったときに前記端子の弾性片の変位を最大にさせる支点部とを有することを特徴とするコネクタ。
【発明の詳細な説明】
【技術分野】
【０００１】
本発明は、弾性片を有する端子を備えたコネクタに関する。
【背景技術】
【０００２】
従来、コネクタとしては、接触部が設けられた弾性片を有する端子としての嵌合検知部材と、この嵌合検知部材を収容する第１ハウジングと、この第１ハウジングに嵌合可能な第２ハウジングと、この第２ハウジングに収容され第１ハウジングと第２ハウジングとの正規嵌合状態で弾性片の付勢力により接触部に接触される被接触部を有する相手端子としての嵌合検知コンタクトとを備えたものが知られている（例えば、特許文献１参照）。
【０００３】
このコネクタでは、第１ハウジングと第２ハウジングとを嵌合させ、嵌合検知部材の接触部と嵌合検知コンタクトの被接触部との接触により第１ハウジングと第２ハウジングとの正規嵌合状態を検知することができる。
【０００４】
上記特許文献１のコネクタでは、第１ハウジングに、第１ハウジングと第２ハウジングとの正規嵌合状態で第２ハウジングに設けられた被ロック部としての嵌合突部に係止されるロック部としての弾性嵌合レバーが揺動可能に設けられている。
【０００５】
この弾性嵌合レバーには、固定端部側に嵌合検知部材の基部が嵌装され、先端側に嵌合検知部材の弾性片の先端部が弾性片の付勢力によって付勢されながら当接されている。
【先行技術文献】
【特許文献】
【０００６】
【特許文献１】特開平８−２２８７３号公報
【発明の概要】
【発明が解決しようとする課題】
【０００７】
しかしながら、上記特許文献１のようなコネクタでは、端子が弾性片の付勢力によってロック部を付勢しながらロック部に支持されているので、弾性片の付勢力に抗して弾性片を変位させながら端子をロック部に配置させることがあり、弾性片に過度な変形が生じ、相手端子との導通不良が発生する恐れがあった。
【０００８】
そこで、この発明は、端子の組付における弾性片の過度な変形を防止し、端子と相手端子との導通不良を防止することができるコネクタの提供を目的としている。
【課題を解決するための手段】
【０００９】
請求項１記載の発明は、接触部が設けられた弾性片を有する端子と、この端子を収容する第１ハウジングと、この第１ハウジングに嵌合可能な第２ハウジングと、この第２ハウジングに収容され前記第１ハウジングと前記第２ハウジングとの正規嵌合状態で前記弾性片の付勢力により前記接触部に接触される被接触部を有する相手端子とを備えたコネクタであって、前記第１ハウジングには、前記端子を支持し前記第１ハウジングと前記第２ハウジングとの正規嵌合状態で前記第２ハウジングに設けられた被ロック部に係止されるロック部が揺動可能に設けられ、前記第２ハウジングには、前記相手端子の被接触部を支持し前記第１ハウジングへの嵌合方向下流側に向けてリブが延設され、前記リブには、前記第１ハウジングと前記第２ハウジングとが正規嵌合状態となるまでの間に前記端子の接触部と摺動して前記弾性片の付勢力に抗して前記弾性片を変位させ、前記第１ハウジングと前記第２ハウジングとが正規嵌合状態となったときに前記弾性片の付勢力によって前記接触部を前記相手端子の被接触部に接触させる変位部が設けられていることを特徴とする。
【００１０】
このコネクタでは、第２ハウジングに設けられたリブに端子の弾性片を変位させる変位部が設けられているので、第１ハウジングに端子を組付けた状態で、第１ハウジングに設けられたロック部に弾性片の付勢力が入力される部分を設ける必要がない。
【００１１】
このため、第１ハウジングに端子を組付ける場合には、端子の弾性片を変位させる必要がなく、端子の組付における弾性片の過度な変形を防止することができる。
【００１２】
一方、第１ハウジングと第２ハウジングとを嵌合させる場合には、第２ハウジングのリブに設けられた変位部によって端子の弾性片を変位させることができ、端子の接触部と相手端子の被接触部とを弾性片の付勢力によって接触、或いは非接触にさせることができる。
【００１３】
また、変位部は、第１ハウジングと第２ハウジングとが正規嵌合状態となるまでの間に端子の接触部と摺動して弾性片の付勢力に抗して弾性片を変位させるので、端子の接触部に付着した埃などを除去することができ、接触部と相手端子の被接触部との間の不純物介在による導通不良を防止することができる。
【００１４】
従って、このようなコネクタでは、端子の組付における弾性片の過度な変形を防止し、端子と相手端子との導通不良を防止することができる。
【００１５】
請求項２記載の発明は、請求項１記載のコネクタであって、前記変位部は、前記第１ハウジングへの嵌合方向下流側から上流側に向けて上り傾斜となる傾斜面からなり前記端子の接触部と摺動する摺動部と、前記ロック部の揺動が最大となったときに前記端子の弾性片の変位を最大にさせる支点部とを有することを特徴とする。
【００１６】
このコネクタでは、変位部がロック部の揺動が最大となったときに端子の弾性片の変位を最大にさせる支点部を有するので、ロック部の揺動が最大となる第１ハウジングと第２ハウジングとの半嵌合状態で、弾性片の変位が最大となって接触部が被接触部から離間され、接触部と被接触部とが接触することがなく、端子と相手端子とが導通することを防止することができる。
【発明の効果】
【００１７】
本発明によれば、端子の組付における弾性片の過度な変形を防止し、端子と相手端子との導通不良を防止することができるコネクタを提供することができるという効果を奏する。
【図面の簡単な説明】
【００１８】
【図１】本発明の実施の形態に係るコネクタの斜視図である。
【図２】本発明の実施の形態に係るコネクタの第１ハウジングの断面図である。
【図３】（ａ）は本発明の実施の形態に係るコネクタの第２ハウジングの断面図である。（ｂ）は図３（ａ）の要部拡大図である。
【図４】（ａ）は本発明の実施の形態に係るコネクタの第１ハウジングと第２ハウジングとの嵌合開始における断面図である。（ｂ）は図４（ａ）の要部拡大図である。
【図５】本発明の実施の形態に係るコネクタの第１ハウジングと第２ハウジングとの嵌合途中における断面図である。
【図６】本発明の実施の形態に係るコネクタの第１ハウジングと第２ハウジングとの嵌合完了における断面図である。
【図７】本発明の実施の形態に係るコネクタの第１ハウジングに端子を組付けるときの断面図である。
【発明を実施するための形態】
【００１９】
図１〜図７を用いて本発明の実施の形態に係るコネクタについて説明する。
【００２０】
本実施の形態に係るコネクタ１は、接触部３が設けられた弾性片５を有する端子７と、この端子７を収容する第１ハウジング９と、この第１ハウジング９に嵌合可能な第２ハウジング１１と、この第２ハウジング１１に収容され第１ハウジング９と第２ハウジング１１との正規嵌合状態で弾性片５の付勢力により接触部３に接触される被接触部１３を有する相手端子１５とを備えている。
【００２１】
また、第１ハウジング９には、端子７を支持し第１ハウジング９と第２ハウジング１１との正規嵌合状態で第２ハウジング１１に設けられた被ロック部１７に係止されるロック部１９が揺動可能に設けられている。
【００２２】
さらに、第２ハウジング１１には、相手端子１５の被接触部１３を支持し第１ハウジング９への嵌合方向下流側に向けてリブ２１が延設されている。
【００２３】
そして、リブ２１には、第１ハウジング９と第２ハウジング１１とが正規嵌合状態となるまでの間に端子７の接触部３と摺動して弾性片５の付勢力に抗して弾性片５を変位させ、第１ハウジング９と第２ハウジング１１とが正規嵌合状態となったときに弾性片５の付勢力によって接触部３を相手端子１５の被接触部１３に接触させる変位部２３が設けられている。
【００２４】
また、変位部２３は、第１ハウジング９への嵌合方向下流側から上流側に向けて上り傾斜となる傾斜面からなり端子７の接触部３と摺動する摺動部２５と、ロック部１９の揺動が最大となったときに端子７の弾性片５の変位を最大にさせる支点部２７とを有する。
【００２５】
なお、本実施の形態に係るコネクタ１は、第１ハウジング９と第２ハウジング１１とを嵌合させ、接触部３と被接触部１３との接触により第１ハウジング９と第２ハウジング１１との正規嵌合状態を検知することができる嵌合検知コネクタとなっている。
【００２６】
図１〜図７に示すように、端子７は、薄板状の導電性材料を打ち抜き加工と折り曲げ加工とを施すことにより、基部２９に対して弾性片５と、接触部３とが設けられる。
【００２７】
弾性片５は、基部２９の一端側を折り曲げ加工することにより基部２９と連続する一部材で形成され、所定の付勢力を有して弾性変形可能に設けられている。この弾性片５は、基部２９に対して一対の弾性片５，５となるように設けられ、それぞれの先端部には接触部３，３が設けられている。
【００２８】
接触部３は、一対の弾性片５，５の先端部に半円状となるように折り曲げ形成されている。この接触部３は、弾性片５の付勢力によって第２ハウジング１１に収容された相手端子１５の被接触部１３に接触され、端子７と相手端子１５とを電気的に接続させる。
【００２９】
このような端子７は、基部２９が第１ハウジング９のロック部１９に設けられた挿入溝３１に挿入されてロック部１９に支持され、弾性片５と接触部３とが第１ハウジング９内部の収容室３３内に収容配置される。
【００３０】
第１ハウジング９は、合成樹脂などの絶縁性材料からなり、筐体状に形成され、収容室３３と、ロック部１９とを備えている。収容室３３は、第１ハウジング９内部の高さ方向の上側で幅方向の中央部に設けられ、端子７の弾性片５と接触部３とが収容配置されている。また、収容室３３のロック部１９の基端側に位置する壁部には、第２ハウジング１１のリブ２１を挿入可能な開口３５が設けられている。この収容室３３の上方には、ロック部１９が設けられている。
【００３１】
なお、収容室３３の高さ方向の下側と幅方向の両側には、電源や機器などに接続された電線３７の端部に接続された複数の雌端子３９が収容配置される複数の端子収容部４１が設けられている。この複数の端子収容部４１に収容された複数の雌端子３９は、係止ランス４３や端子収容部４１に挿入される二重係止部材４５などと係止することによって抜け止めがなされている。
【００３２】
ロック部１９は、収容室３３の開口３５側を基端として収容室３３の上方に揺動可能に設けられ、挿入溝３１と、係止凸部４７とを備えている。挿入溝３１は、ロック部１９の下面である収容室３３側に設けられ、端子７の基部２９が挿入されて端子７を支持する。このように挿入溝３１に端子７の基部２９を挿入して端子７を支持することにより、端子７の組付時に弾性片５を変形させる必要がない。
【００３３】
係止凸部４７は、ロック部１９の上面の中央部に設けられ、第２ハウジング１１との嵌合方向の前側が傾斜面となっており、嵌合方向の後側が垂直面で形成された係止面となっている。この係止凸部４７は、第１ハウジング９と第２ハウジング１１との嵌合時に、傾斜面が第２ハウジング１１の被ロック部１７と当接することによってロック部１９を下方に向けて揺動させ、第１ハウジング９と第２ハウジング１１との正規嵌合時に、係止面がロック部１９の上方への復元によって被ロック部１７に係止される。
【００３４】
なお、ロック部１９の先端側には、操作部４９が設けられており、操作部４９を下方に向けて押圧操作することによってロック部１９が下方に揺動され、ロック部１９と被ロック部１７との係止が解除され、第１ハウジング９と第２ハウジング１１との嵌合を解除することができる。
【００３５】
第２ハウジング１１は、合成樹脂などの絶縁性材料からなり、筐体状に形成され、フード部５１と、リブ２１とを備えている。フード部５１は、第１ハウジング９との嵌合方向の前側が開口され、第２ハウジング１１の幅方向に、ここでは３つ設けられ、各フード部５１に第１ハウジング９が嵌合可能となっている。また、フード部５１の開口端には、第１ハウジング９のロック部１９の係止凸部４７が当接及び係止される被ロック部１７が下方に向けて延設されている。このフード部５１内には、リブ２１が設けられている。
【００３６】
リブ２１は、フード部５１内において、相手端子１５が挿入される壁部から第１ハウジング９への嵌合方向下流側に向けて延設されている。このリブ２１は、フード部５１内に配置される相手端子１５の被接触部１３を支持し、第１ハウジング９と第２ハウジング１１とを嵌合させることにより、第１ハウジング９の開口３５から収容室３３内に挿入される。
【００３７】
なお、フード部５１には、基板５３に接続されたＬ字状の複数の雄端子５５の接続部が収容配置されている。この複数の雄端子５５は、第１ハウジング９と第２ハウジング１１とが正規嵌合状態となることにより、第１ハウジング９に収容された複数の雌端子３９に電気的に接続される。
【００３８】
相手端子１５は、導電性材料からなり、Ｌ字状に形成され、一端側が基板５３に接続され、他端側がフード部５１内に挿入されてリブ２１上に支持される被接触部１３となっている。この相手端子１５は、一対の相手端子１５，１５からなり、基板５３に形成された導通回路にそれぞれ接続され、被接触部１３，１３に端子７の接触部３，３がそれぞれ接触することによって端子７を介して一対の相手端子１５，１５が電気的に接続される。
【００３９】
この一対の相手端子１５，１５は、第１ハウジング９と第２ハウジング１１とが正規嵌合状態となったときに、端子７の弾性片５，５の付勢力によって接触部３，３が接触されて導通される。この一対の相手端子１５，１５の導通の有無により、第１ハウジング９と第２ハウジング１１との嵌合状態を検知することができる。このような端子７の弾性片５は、リブ２１に設けられた変位部２３によって変位される。
【００４０】
変位部２３は、摺動部２５と、支点部２７とを備えている。摺動部２５は、相手端子１５，１５の被接触部１３，１３と対応する位置にそれぞれ設けられ、第２ハウジング１１の第１ハウジング９への嵌合方向下流側から上流側（フード部５１の開口側から内部側）に向けて上り傾斜となる傾斜面からなる。
【００４１】
この摺動部２５，２５は、第１ハウジング９と第２ハウジング１１とが正規嵌合状態となるまでの間、詳細には第１ハウジング９と第２ハウジング１１との嵌合開始からロック部１９と被ロック部１７とが干渉し始めるまでの間に、端子７の接触部３，３と摺動して弾性片５，５の付勢力に抗して弾性片５，５を変位させる。
【００４２】
このとき、摺動部２５，２５は、弾性片５，５の付勢力に抗して弾性片５，５を変位させながら接触部３，３と摺動するので、接触部３，３に付着した埃などを除去することができ、接触部３，３と相手端子１５，１５の被接触部１３，１３との間に不純物が介在することを防止することができる。
【００４３】
支点部２７は、摺動部２５，２５間に設けられ、摺動部２５，２５より高い位置に突設されて摺動部２５，２５よりも傾斜角の大きい上り傾斜となる傾斜面を有する。この支点部２７は、ロック部１９の揺動が最大となったとき、詳細にはロック部１９の係止凸部４７が被ロック部１７の頂面に当接されたときに、端子７の弾性片５，５間を連結するように設けられた当接部（不図示）に当接し、弾性片５，５の変位を最大にさせる。
【００４４】
このように支点部２７によって端子７の弾性片５，５の変位を最大にさせることにより、ロック部１９の揺動が最大となったとき、すなわち第１ハウジング９と第２ハウジング１１とが半嵌合状態であるときに、接触部３，３と相手端子１５，１５の被接触部１３，１３とが接触することを確実に防止することができる。
【００４５】
このように端子７の弾性片５を変位させる変位部２３を第２ハウジング１１側に設けることにより、図７に示すように、第１ハウジング９の収容室３３内に弾性片５と干渉する部分を設ける必要がなく、端子７の第１ハウジング９への組付時に弾性片５に過度な変形が発生することを防止することができる。
【００４６】
このように構成されたコネクタ１は、まず、第１ハウジング９の収容室３３の開口から端子７を挿入し、端子７の基部２９を挿入溝３１に挿入して端子７を収容室３３内に配置する。
【００４７】
次に、各部材が収容配置された第２ハウジング１１と第１ハウジング９とを嵌合させる。この嵌合開始では、ロック部１９の係止凸部４７が被ロック部１７に当接してロック部１９が揺動を開始すると共に、端子７の接触部３が変位部２３の摺動部２５と摺動を開始する。
【００４８】
次に、ロック部１９の係止凸部４７が被ロック部１７の頂面に当接されロック部１９の揺動が最大となったときには、端子７の弾性片５，５間に設けられた当接部が変位部２３の支点部２７に乗り上げて弾性片５，５の変位が最大となる。
【００４９】
そして、第１ハウジング９と第２ハウジング１１とが正規嵌合状態となったときには、ロック部１９の係止凸部４７が被ロック部１７に係止されると共に、端子７の当接部と変位部２３の支点部２７との当接が解除され、弾性片５の付勢力によって接触部３が相手端子１５の被接触部１３に接触される。この接触により、端子７を介して一対の相手端子１５，１５が導通され、第１ハウジング９と第２ハウジング１１とが正規嵌合状態となったことを検知することができる。
【００５０】
このようなコネクタ１では、第２ハウジング１１に設けられたリブ２１に端子７の弾性片５を変位させる変位部２３が設けられているので、第１ハウジング９に端子７を組付けた状態で、第１ハウジング９に設けられたロック部１９に弾性片５の付勢力が入力される部分を設ける必要がない。
【００５１】
このため、第１ハウジング９に端子７を組付ける場合には、端子７の弾性片５を変位させる必要がなく、端子７の組付における弾性片５の過度な変形を防止することができる。
【００５２】
一方、第１ハウジング９と第２ハウジング１１とを嵌合させる場合には、第２ハウジング１１のリブ２１に設けられた変位部２３によって端子７の弾性片５を変位させることができ、端子７の接触部３と相手端子１５の被接触部１３とを弾性片５の付勢力によって接触、或いは非接触にさせることができ、第１ハウジング９と第２ハウジング１１との嵌合状態を検知することができる。
【００５３】
また、変位部２３は、第１ハウジング９と第２ハウジング１１とが正規嵌合状態となるまでの間に端子７の接触部３と摺動して弾性片５の付勢力に抗して弾性片５を変位させるので、端子７の接触部３に付着した埃などを除去することができ、接触部３と相手端子１５の被接触部１３との間の不純物介在による導通不良を防止することができる。
【００５４】
従って、このようなコネクタ１では、端子７の組付における弾性片５の過度な変形を防止し、端子７と相手端子１５との導通不良を防止することができる。
【００５５】
また、変位部２３は、ロック部１９の揺動が最大となったときに端子７の弾性片５の変位を最大にさせる支点部２７を有するので、ロック部１９の揺動が最大となる第１ハウジング９と第２ハウジング１１との半嵌合状態で、弾性片５の変位が最大となって接触部３が被接触部１３から離間され、接触部３と被接触部１３とが接触することがなく、端子７と相手端子１５とが導通することを防止することができる。このため、第１ハウジング９と第２ハウジング１１との嵌合状態を確実に検知することができる。
【００５６】
なお、本発明の実施の形態に係るコネクタでは、変位部が摺動部と支点部とを有しているが、摺動部の傾斜角を大きく設定するなど、摺動部のみで支点部と同様の機能を得られる場合には支点部を設けなくともよい。
【００５７】
この場合には、変位部の構成を簡易化することができると共に、支点部と当接する端子の当接部を設ける必要がなく、端子の構成も簡易化することができる。
【符号の説明】
【００５８】
１…コネクタ
３…接触部
５…弾性片
７…端子
９…第１ハウジング
１１…第２ハウジング
１３…被接触部
１５…相手端子
１７…被ロック部
１９…ロック部
２１…リブ
２３…変位部
２５…摺動部
２７…支点部
【図１】
2014216225.tif 000003
【図２】
2014216225.tif 000004
【図３】
2014216225.tif 000005
【図４】
2014216225.tif 000006
【図５】
2014216225.tif 000007
【図６】
2014216225.tif 000008
【図７】
2014216225.tif 000009